(57)【要約】【課題】グループを指定するページングを行う移動通信ネットワークにおいて、通信タイミングに関するユーザ装置の個別の要求条件を満たす技術を提供する。【解決手段】移動通信ネットワークのユーザ装置は、自装置が属するグループのグループ識別子を保持する保持手段と、前記移動通信ネットワークから前記保持手段が保持するグループ識別子を含むページングメッセージを受信すると、当該ページングメッセージにおいて指定された自装置の優先度に応じた待機期間を決定し、決定した前記待機期間が経過するとランダムアクセス手順を開始する通信手段と、を備えている。【選択図】図６
2020039027.tif 000002
【特許請求の範囲】
【請求項１】
移動通信ネットワークのユーザ装置であって、
自装置が属するグループのグループ識別子を保持する保持手段と、
前記移動通信ネットワークから前記保持手段が保持するグループ識別子を含むページングメッセージを受信すると、当該ページングメッセージにおいて指定された自装置の優先度に応じた待機期間を決定し、決定した前記待機期間が経過するとランダムアクセス手順を開始する通信手段と、
を備えていることを特徴とするユーザ装置。
【請求項２】
前記通信手段は、自装置の優先度が高い程、前記待機期間を短くすることを特徴とする請求項１に記載のユーザ装置。
【請求項３】
前記通信手段は、自装置の優先度に対応する範囲内の乱数を生成し、生成した前記乱数に基づき前記待機期間を決定し、
優先度に対応する前記範囲の最小値は、当該優先度より高い優先度に対応する前記範囲の最小値より大きく、当該優先度より低い優先度に対応する前記範囲の最小値より小さく、当該優先度に対応する前記範囲の最大値は、当該優先度より高い優先度に対応する前記範囲の最大値より大きく、当該優先度より低い優先度に対応する前記範囲の最大値より小さい、ことを特徴とする請求項１又は２に記載のユーザ装置。
【請求項４】
優先度に対応する前記範囲は、前記ページングメッセージにおいて指定されることを特徴とする請求項３に記載のユーザ装置。
【請求項５】
前記保持手段は、自装置の装置識別子をさらに保持しており、
前記ページングメッセージは、グループ識別子が設定される第１フィールドと、装置識別子が設定される第２フィールドを、有し、
前記通信手段は、前記第１フィールドに前記保持手段が保持するグループ識別子が設定され、かつ、前記第２フィールドに前記保持手段が保持する装置識別子が設定された前記ページングメッセージを受信すると自装置が第１優先度であると判定し、前記第１フィールドに前記保持手段が保持するグループ識別子が設定され、かつ、前記第２フィールドに前記保持手段が保持する装置識別子が設定されていない前記ページングメッセージを受信すると自装置が前記第１優先度より低い第２優先度であると判定することを特徴とする請求項１から４のいずれか１項に記載のユーザ装置。
【請求項６】
前記第１フィールドにグループ識別子が設定され、かつ、前記第２フィールドに装置識別子が設定された前記ページングメッセージは、第１設定値及び前記第１設定値より大きい第２設定値を含み、
前記通信手段は、自装置が前記第１優先度であると判定すると、０から前記第１設定値の範囲で乱数を生成し、生成した前記乱数に基づき前記待機期間を決定し、自装置が前記第２優先度であると判定すると、前記第１設定値から前記第２設定値の範囲で乱数を生成し、生成した前記乱数に基づき前記待機期間を決定することを特徴とする請求項５に記載のユーザ装置。
【請求項７】
前記第１フィールドにグループ識別子が設定され、かつ、前記第２フィールドがヌルである前記ページングメッセージは設定値を含み、
前記通信手段は、前記第１フィールドに前記保持手段が保持するグループ識別子が設定され、かつ、前記第２フィールドがヌルである前記ページングメッセージを受信すると、０から当該ページングメッセージに含まれる前記設定値の範囲で乱数を生成し、生成した前記乱数に基づき前記待機期間を決定することを特徴とする請求項６に記載のユーザ装置。
【請求項８】
前記第１フィールドがヌルであり、かつ、前記第２フィールドに装置識別子が設定された前記ページングメッセージは設定値を含み、
前記通信手段は、前記第１フィールドがヌルであり、かつ、前記第２フィールドに前記保持手段が保持する装置識別子が設定された前記ページングメッセージを受信すると、０から当該ページングメッセージに含まれる前記設定値の範囲で乱数を生成し、生成した前記乱数に基づき前記待機期間を決定することを特徴とする請求項６又は７に記載のユーザ装置。
【請求項９】
前記通信手段は、前記第１フィールドがヌルであり、かつ、前記第２フィールドに前記保持手段が保持する装置識別子が設定された前記ページングメッセージを受信すると、前記ランダムアクセス手順を開始することを特徴とする請求項６又は７に記載のユーザ装置。
【請求項１０】
移動通信ネットワークであって、
同じセル内の複数のユーザ装置のグループを指定するページングメッセージを送信する送信手段を備えており、
前記送信手段は、優先度が異なる複数のユーザ装置を含むグループを指定するページングメッセージにおいて、当該グループに含まれるユーザ装置それぞれの優先度を指定し、
ユーザ装置の前記優先度は、当該ユーザ装置が属するグループを指定するページングメッセージを当該ユーザ装置が受信した際に、当該ユーザ装置がランダムアクセス手順を開始するまでの待機期間を制御する値であることを特徴とする移動通信ネットワーク。
【請求項１１】
ユーザ装置の前記優先度が高い程、当該ユーザ装置の前記待機期間は短くなることを特徴とする請求項１０に記載の移動通信ネットワーク。
【請求項１２】
前記送信手段は、前記ページングメッセージで前記優先度に対応する前記待機期間の範囲を指定することを特徴とする請求項１０又は１１に記載の移動通信ネットワーク。
【請求項１３】
前記ページングメッセージは、グループのグループ識別子が設定される第１フィールドと、ユーザ装置の装置識別子が設定される第２フィールドを、有し、
前記送信手段は、前記第１フィールドにページングを行うグループの前記グループ識別子を設定し、当該グループに含まれるユーザ装置のうちの第１優先度のユーザ装置の装置識別子を前記第２フィールドに設定することで、当該グループに含まれる前記ユーザ装置の優先度として第１優先度と前記第１優先度より低い第２優先度を前記ページングメッセージで指定することを特徴とする請求項１１又は１２に記載の移動通信ネットワーク。
【請求項１４】
前記送信手段は、前記第１優先度を指定したユーザ装置に第１範囲を通知し、前記第２優先度を指定したユーザ装置に第２範囲を通知し、
前記第１範囲の最小値は、前記第２範囲の最小値より小さく、
前記第１範囲の最大値は、前記第２範囲の最大値より小さい、ことを特徴とする請求項１３に記載の移動通信ネットワーク。
【請求項１５】
前記送信手段は、グループ内のユーザ装置の優先度を指定しない場合、前記第１フィールドにページングを行うグループの前記グループ識別子を設定し、前記第２フィールドをヌルとすることを特徴とする請求項１３又は１４に記載の移動通信ネットワーク。
【請求項１６】
前記送信手段は、個別のユーザ装置にランダムアクセス手順を開始させる場合、前記第１フィールドをヌルとし、前記第２フィールドに前記個別のユーザ装置の装置識別子を設定することを特徴とする請求項１３から１５のいずれか１項に記載の移動通信ネットワーク。
【請求項１７】
移動通信ネットワークの基地局装置であって、
複数のユーザ装置のグループを指定するページングメッセージを送信する送信手段を備えており、
前記送信手段は、優先度が異なる複数のユーザ装置を含むグループを指定するページングメッセージにおいて、当該グループに含まれるユーザ装置それぞれの優先度を指定し、
ユーザ装置の前記優先度は、当該ユーザ装置が属するグループを指定するページングメッセージを当該ユーザ装置が受信した際に、当該ユーザ装置がランダムアクセス手順を開始するまでの待機期間を制御する値であることを特徴とする基地局装置。
【請求項１８】
移動通信ネットワークの制御装置であって、
複数のユーザ装置のグループを指定するページングメッセージを基地局に送信させる送信手段を備えており、
優先度が異なる複数のユーザ装置を含むグループを指定するページングメッセージは、当該グループに含まれるユーザ装置それぞれの優先度を指定し、
ユーザ装置の前記優先度は、当該ユーザ装置が属するグループを指定するページングメッセージを当該ユーザ装置が受信した際に、当該ユーザ装置がランダムアクセス手順を開始するまでの待機期間を制御する値であることを特徴とする制御装置。
【請求項１９】
１つ以上のプロセッサを有するユーザ装置の前記１つ以上のプロセッサで実行されると、前記ユーザ装置を請求項１から９のいずれか１項に記載のユーザ装置として機能させることを特徴とするプログラム。
【請求項２０】
１つ以上のプロセッサを有する制御装置の前記１つ以上のプロセッサで実行されると、前記制御装置を請求項１８に記載の制御装置として機能させることを特徴とするプログラム。
【発明の詳細な説明】
【技術分野】
【０００１】
本発明は、移動通信ネットワークのページング技術に関する。
【背景技術】
【０００２】
特許文献１は、地理的に分散配置したセンサや、車両に配置したセンサ等から情報を収集するため等に使用されるマシン型通信（ＭＴＣ）を開示している。ここで、同一セル内にある多数のＭＴＣデバイス（ユーザ装置）が、ランダムアクセス手順（ＲＡ手順）を同時に開始すると、多数の衝突が発生する。このため、非特許文献１は、所謂、"プル型処理"を開示している。
【０００３】
プル型処理において、移動通信ネットワークは、データを送信させるＭＴＣデバイスに対してページングメッセージを送信する。ページングメッセージを受信したＭＴＣデバイスは、ＲＡ手順を開始して移動通信ネットワークに接続し、その後、所定のサーバ装置を宛先としたデータを送信する。なお、移動通信ネットワークは、例えば、ＭＴＣデバイスのデータ送信先であるサーバ装置から、当該ＭＴＣデバイスからのデータを要求するデータ要求メッセージを受信したことをトリガとして、当該ＭＴＣデバイスにページングメッセージを送信する。
【０００４】
ここで、非特許文献１及び非特許文献２は、ＭＴＣデバイスをグループ化し、ページングメッセージにおいて個別のＭＴＣデバイスを指定するのではなく、ＭＴＣデバイスのグループを指定することで、データの送信のためにＲＡ手順を開始させる複数のＭＴＣデバイスを一括して指定する構成を開示している。なお、グループ内のＭＴＣデバイスが多数であると、当該グループを指定したページングメッセージにより、多数のＭＴＣデバイスが同時にＲＡ手順を開始し、よって、ＲＡ手順の衝突が多発し得る。このため、非特許文献３は、バックオフ時間により、ＲＡ手順の衝突を抑える構成を開示している。
【０００５】
具体的には、グループに属するＭＴＣデバイスそれぞれは、当該グループが指定されたページングメッセージを受信すると乱数を生成し、生成した乱数に対応する期間をバックオフ期間とする。なお、乱数は、０から所定の最大値までの範囲内の数である。その後、当該グループのＭＴＣデバイスは、生成したバックオフ期間だけ待機し、バックオフ期間の経過によりＲＡ手順を開始する。この構成により、ＲＡ手順を開始させる複数のＭＴＣデバイスを一括して指定すると共に、ＲＡ手順の衝突の発生を抑えることができる。
【先行技術文献】
【非特許文献】
【０００６】
【非特許文献１】３ＧＰＰ  ＴＲ３７.８６８，Ｖ１１．０．０，２０１１年９月
【非特許文献２】Ｃ．Ｈ．Ｗｅｉ，ｅｔ  ａｌ．，"Ｐｅｒｆｏｒｍａｎｃｅ  Ａｎａｌｙｓｉｓ  ｏｆ  Ｇｒｏｕｐ  Ｐａｇｉｎｇ  ｆｏｒ  Ｍａｃｈｉｎｅ−Ｔｙｐｅ  Ｃｏｍｍｕｎｉｃａｔｉｏｎｓ  ｉｎ  ＬＴＥ  Ｎｅｔｗｏｒｋｓ"，ｉｎ  ＩＥＥＥ  Ｔｒａｎｓａｃｔｉｏｎｓ  ｏｎ  Ｖｅｈｉｃｕｌａｒ  Ｔｅｃｈｎｏｌｏｇｙ，ｖｏｌ．６２，ｎｏ．７，ｐｐ．３３７１−３３８２，２０１３年９月
【非特許文献３】Ｒ．Ｈａｒｗａｈｙｕ，ｅｔ  ａｌ．，"Ａｎａｌｙｓｉｓ  ｏｆ  ｇｒｏｕｐ  ｐａｇｉｎｇ  ｗｉｔｈ  ｐｒｅ−ｂａｃｋｏｆｆ"，ＥＵＲＡＳＩＰ  Ｊｏｕｒｎａｌ  ｏｎ  Ｗｉｒｅｌｅｓｓ  Ｃｏｍｍｕｎｉｃａｔｉｏｎｓ  ａｎｄ  Ｎｅｔｗｏｒｋｉｎｇ，ｖｏｌ．２０１５，ｎｏ．１，ｐ．３４，２０１５年
【発明の概要】
【発明が解決しようとする課題】
【０００７】
ＭＴＣデバイスは、スマートグリッド、コネクティドカー、環境センサ等の様々なシステムで使用される。ＭＴＣデバイスが適用されるシステムに応じて、ＭＴＣデバイスがデータを送信するタイミングに対する要求も異なり得る。例えば、コネクティッドカーに適用されるＭＴＣデバイスは、サーバ装置が必要とするタイミングにおいて遅延なくデータを当該サーバ装置に送信することが求められる。一方、環境センサに適用されるＭＴＣデバイスは、サーバ装置がデータを要求したタイミングにおいて直ちにデータを当該サーバ装置に送信することは求められず、ある程度の遅延が許容される。
【０００８】
しかしながら、非特許文献３に記載の構成では、グループ内の総てのＭＴＣデバイスを同様に扱うため、通信タイミングに関するＭＴＣデバイスの個別の要求条件を満たせなくなる。例えば、コネクティッドカーに適用されるＭＴＣデバイスがランダムに生成したバックオフ期間が大きな値であると、ランダムアクセス手順を開始してデータを送信するまでの待機期間が長くなり、サーバ装置が必要とするタイミングまでにデータを送信できなくなり得る。
【０００９】
本発明は、グループを指定するページングを行う移動通信ネットワークにおいて、通信タイミングに関するユーザ装置の個別の要求条件を満たす技術を提供するものである。
【課題を解決するための手段】
【００１０】
本発明の一態様によると、移動通信ネットワークのユーザ装置は、自装置が属するグループのグループ識別子を保持する保持手段と、前記移動通信ネットワークから前記保持手段が保持するグループ識別子を含むページングメッセージを受信すると、当該ページングメッセージにおいて指定された自装置の優先度に応じた待機期間を決定し、決定した前記待機期間が経過するとランダムアクセス手順を開始する通信手段と、を備えていることを特徴とする。
【発明の効果】
【００１１】
本発明によると、グループを指定するページングを行う移動通信ネットワークにおいて、通信タイミングに関するユーザ装置の個別の要求条件を満たすことができる。
【図面の簡単な説明】
【００１２】
【図１】一実施形態によるシステム構成図。
【図２】一実施形態による移動通信ネットワークが保持する情報を示す図。
【図３】一実施形態によるページングメッセージに含まれる情報の説明図。
【図４】一実施形態によるバックオフ期間の説明図。
【図５】一実施形態による移動通信ネットワークでの処理のフローチャート。
【図６】一実施形態によるＭＴＣデバイスでの処理のフローチャート。
【図７】一実施形態によるＭＴＣデバイスの構成図。
【図８】一実施形態による移動通信ネットワークの構成図。
【発明を実施するための形態】
【００１３】
以下、本発明の例示的な実施形態について図面を参照して説明する。なお、以下の実施形態は例示であり、本発明を実施形態の内容に限定するものではない。また、以下の各図において、実施形態の説明に必要ではない構成要素については図から省略する。
【００１４】
＜第一実施形態＞
図１は、本実施形態のシステム構成図である。移動通信ネットワークの基地局装置（以下、単に基地局と表記）１１は、セル５１を提供し、基地局１２は、セル５２を提供する。基地局１１及び基地局１２は、それぞれ、移動通信ネットワークのコアネットワーク２に接続する。また、移動通信ネットワークのコアネットワーク２は、インターネット３に接続している。インターネット３には、サーバ装置４１（サーバ装置＃Ａ）及びサーバ装置４２（サーバ装置＃Ｂ）が接続されている。また、セル５１及びセル５２内には、それぞれが移動通信ネットワークのユーザ装置である複数のＭＴＣデバイスが配置されている。
【００１５】
本実施形態においては、図１に示す様に、セル５１内に配置されたＭＴＣデバイスの内、サーバ装置＃Ａにデータを送信するＭＴＣデバイスは、そのグループ識別子が＃Ａ１及び＃Ａ２である２つのグループ（以下、グループ＃Ａ１及びグループ＃Ａ２とも表記する。）にグループ化されている。また、セル５１内のＭＴＣデバイスの内、サーバ装置＃Ｂにデータを送信するＭＴＣデバイスは、１つのグループ＃Ｂ１（グループ識別子が＃Ｂ１）にグループ化されている。さらに、セル５２内に配置されたＭＴＣデバイスの内、サーバ装置＃Ａにデータを送信するＭＴＣデバイスは、１つのグループ＃Ａ３にグループ化され、サーバ装置＃Ｂにデータを送信するＭＴＣデバイスは、１つのグループ＃Ｂ２にグループ化されている。
【００１６】
なお、以下の説明においてサーバ装置＃Ａにデータを送信する複数のＭＴＣデバイスを纏めてＭＴＣデバイス＃Ａと表記し、サーバ装置＃Ｂにデータを送信する複数のＭＴＣデバイスを纏めてＭＴＣデバイス＃Ｂと表記する。本実施形態において、サーバ装置＃Ａ及びＭＴＣデバイス＃Ａは、サービス事業者＃Ａにより運用され、サーバ装置＃Ｂ及びＭＴＣデバイス＃Ｂは、サービス事業者＃Ｂにより運用されているものとする。
【００１７】
また、本実施形態においては、図２に示す様に、グループ＃Ａ１は、そのデバイス（装置）識別子が＃ＴＡ１〜＃ＴＡ５０である５０個のＭＴＣデバイスを有し、グループ＃Ａ２は、そのデバイス識別子が＃ＴＡ５１〜＃ＴＡ１００である５０個のＭＴＣデバイスを有し、グループ＃Ａ３は、そのデバイス識別子が＃ＴＡ２０１〜＃ＴＡ２３０である３０個のＭＴＣデバイスを有するものとする。また、グループ＃Ｂ１は、そのデバイス識別子が＃ＴＢ１〜＃ＴＢ８０である８０個のＭＴＣデバイスを有し、グループ＃Ｂ２は、そのデバイス識別子が＃ＴＢ１０１〜＃ＴＢ１６０である６０個のＭＴＣデバイスを有するものとする。なお、ＭＴＣデバイスのデバイス識別子はＭＴＣデバイス毎に異なるものとする。また、本実施形態において、グループ識別子は、総てのグループにおいて異なる値とする。しかしながら、グループ識別子については、当該グループに属するＭＴＣデバイスのデータ送信先のサーバ装置毎に一意な値とし、データ送信先のサーバ装置が異なれば同じ値を使用する構成とすることができる。例えば、図２に示す様に、本実施形態では、総てのグループに異なる値のグループ識別子を付与しているが、サーバ装置Ａに対応するグループと、サーバ装置Ｂに対応するグループに同じ値のグループ識別子を付与する構成であっても良い。
【００１８】
また、図２に示す様に、グループ＃Ａ１に属するＭＴＣデバイスの内、デバイス識別子が＃ＴＡ１〜＃ＴＡ２０のＭＴＣデバイスは、グループ＃Ａ１内の他のＭＴＣデバイスより優先度が高いものとする。以下の説明において、図２の"高優先ＭＴＣデバイス"に示されるＭＴＣデバイスを高優先ＭＴＣデバイスと呼び、グループ内の他のＭＴＣデバイスを低優先ＭＴＣデバイスと呼ぶものとする。また、デバイス識別子が＃ＸＸであるＭＴＣデバイスを、以下では、ＭＴＣデバイス＃ＸＸと表記するものとする。図２に示す様に、グループ＃Ａ２は、低優先ＭＴＣデバイスのみのグループであり、高優先ＭＴＣデバイスを有さない。
【００１９】
本実施形態において、移動通信ネットワークのコアネットワーク２は、図２に示す情報を保持している。具体的には、サービス事業者＃Ａと移動通信ネットワークを運用するネットワーク事業者との事前協議により、各ＭＴＣデバイス＃Ａのグループ化、グループ識別子及びデバイス識別子の付与、及び、高優先ＭＴＣデバイスであるか否かが決定され、その事前協議に基づき図２に示す情報が作成され、移動通信ネットワークのコアネットワーク２内の図示しない制御装置に図２に示す情報が格納されているものとする。また、ＭＴＣデバイス＃Ａには、当該ＭＴＣデバイス＃Ａのデバイス識別子、当該ＭＴＣデバイスが属するグループのグループ識別子が、予め、例えば、ＳＩＭカード内に格納されているものとする。また、サービス事業者＃Ａは、図２のＭＴＣデバイス＃Ａに関する情報を保持している。サービス事業者＃Ｂについても同様である。
【００２０】
図３は、本実施形態による移動通信ネットワークの基地局１１及び１２が送信するページングメッセージに設定される情報を示している。デバイス識別子（ＩＤ）フィールドには、ＭＴＣデバイスのデバイス識別子が設定される。グループ識別子（ＩＤ）フィールドには、グループ識別子が設定される。値フィールドには、ＭＴＣデバイスがページングメッセージの受信により生成する乱数の範囲を定義する値が設定される。なお、デバイスＩＤフィールドにおいて指定できるデバイス識別子の数は、１つ以上とすることができる。なお、本実施形態では、デバイスＩＤフィールドにおいて最大６４個のデバイス識別子を設定できるものとする。また、本実施形態において、グループＩＤフィールドにおいて指定できるグループ識別子の数を１つとする。しかしながら、グループＩＤフィールドにおいて２つ以上のグループ識別子を指定できる構成とすることもできる。また、本実施形態において、値フィールドにおいて指定できる値の数は最大２とする。
【００２１】
本実施形態の移動通信ネットワークのコアネットワーク２は、サーバ装置Ａやサーバ装置Ｂから、通信要求メッセージを受信すると、当該通信要求に従い所定の基地局からページングメッセージを送信する。例えば、サーバ装置Ａが、グループ識別子＃Ａ１のグループを指定した通信要求メッセージをコアネットワーク２に送信したものとする。この場合、コアネットワーク２は、図２に示す情報に基づき、基地局１１に対してグループ識別子＃Ａ１のグループのページングを指示する。このとき、コアネットワーク２は、ＭＴＣデバイス＃ＴＡ１〜＃ＴＡ２０が高優先であることも基地局１１に通知する。さらに、コアネットワーク２は、基地局１１に第１設定値と、第１設定値より大きな第２設定値の２つの設定値も通知する。基地局１１は、当該指示に基づき、グループＩＤフィールドにグループ識別子＃Ａ１を設定し、デバイスＩＤフィールドに高優先のＭＴＣデバイスのデバイス識別子＃ＴＡ１〜＃ＴＡ２０を設定し、値フィールドに第１設定値及び第２設定値の２つの値を設定したページングメッセージを送信する。
【００２２】
グループＩＤフィールドに自装置のグループ識別子が設定され、かつ、デバイスＩＤフィールドに自装置のデバイス識別子が設定されたページングメッセージを受信したＭＴＣデバイス＃ＴＡ１〜＃ＴＡ２０は、０から第１設定値の範囲で乱数を生成し、生成した乱数に対応する期間をバックオフ期間とし、バックオフ期間が経過するとＲＡ手順を開始する。一方、グループＩＤフィールドに自装置のグループ識別子が設定されているが、デバイスＩＤフィールドに自装置のデバイス識別子が設定されていないページングメッセージを受信したＭＴＣデバイス＃ＴＡ２１〜＃ＴＡ５０は、第１設定値から第２設定値の範囲で乱数を生成し、生成した乱数に対応する期間をバックオフ期間とし、バックオフ期間が経過するとＲＡ手順を開始する。なお、本実施形態では、生成した乱数をバックオフ期間とするものとする。
【００２３】
図４は、高優先ＭＴＣデバイスと低優先ＭＴＣデバイスがＲＡ手順を開始する時間範囲を示したものである。ページングメッセージの受信時を０とすると、高優先ＭＴＣデバイスは、０から第１設定値の範囲のどこかでＲＡ手順を開始し、低優先ＭＴＣデバイスは、第１設定値から第２設定値の範囲のどこかでＲＡ手順を開始する。図４に示す様に、本実施形態において、高優先ＭＴＣデバイスは、低優先ＭＴＣデバイスより先にＲＡ手順を開始することが保証される。したがって、高優先のＭＴＣデバイスは、サーバ装置が必要とするタイミングから大きく遅延することなく、当該サーバ装置と通信を開始でき、データを当該サーバ装置に送信することができる。
【００２４】
なお、本実施形態では、デバイスＩＤフィールドにおいて指定できるデバイス識別子の数を６４個とした。したがって、１つのグループ内の高優先ＭＴＣデバイスの数を６４個以内とする様に、各サービス事業者は調整する。なお、同じセル内に６５個以上の高優先ＭＴＣデバイスを配置する場合には、２つ以上のグループを当該セルに作成する。なお、ページングメッセージにおいてデバイスＩＤフィールドに設定可能なデバイス識別子の数を可変とし、１つのグループにおける高優先ＭＴＣデバイスの上限値を設けない構成とすることもできる。
【００２５】
また、例えば、サーバ装置Ａが、グループ識別子＃Ａ２のグループを指定した通信要求メッセージをコアネットワーク２に送信したものとする。この場合、コアネットワーク２は、図２に示す情報に基づき、基地局１１に対してグループ識別子＃Ａ２のグループのページングを指示する。なお、グループ＃Ａ２には高優先ＭＴＣデバイスは存在しないので、コアネットワーク２は、高優先ＭＴＣデバイスのデバイス識別子を基地局１１に通知しない。また、この場合、コアネットワーク２は、第１設定値のみを基地局１１に通知する。基地局１１は、当該指示に基づき、グループＩＤフィールドにグループ識別子＃Ａ２を設定し、デバイスＩＤフィールドをヌルとし、値フィールドに第１設定値のみを設定したページングメッセージを送信する。グループＩＤフィールドに自装置のグループ識別子が設定され、かつ、デバイスＩＤフィールドがヌルのページングメッセージを受信したＭＴＣデバイス＃ＴＡ５１〜＃ＴＡ１００は、０から第１設定値の範囲で乱数を生成し、生成した乱数に対応する期間をバックオフ期間とし、バックオフ期間が経過するとＲＡ手順を開始する。この場合は、バックオフ期間を有するグループページングとなる。
【００２６】
また、例えば、サーバ装置Ａが、デバイス識別子＃ＴＡ３及びデバイス識別子＃ＴＡ５１のＭＴＣデバイスを指定した通信要求メッセージをコアネットワーク２に送信したものとする。この場合、コアネットワーク２は、図２に示す情報に基づき、基地局１１に対してデバイス識別子＃ＴＡ３及びデバイス識別子＃ＴＡ５１のＭＴＣデバイスのページングを指示する。また、コアネットワーク２は、基地局１１に第１設定値のみを通知する。基地局１１は、当該指示に基づき、グループＩＤフィールドをヌルとし、デバイスＩＤフィールドにデバイス識別子＃ＴＡ３及びデバイス識別子＃ＴＡ５１を設定し、値フィールドに第１設定値のみを設定したページングメッセージを送信する。グループＩＤフィールドがヌルであり、デバイスＩＤフィールドに自装置のデバイス識別子が設定されたページングメッセージを受信したＭＴＣデバイス＃ＴＡ３及び＃ＴＡ５１は、０から第１設定値の範囲で乱数を生成してこれをバックオフ期間とし、バックオフ期間が経過するとＲＡ手順を開始する。なお、上述した様に、個別のＭＴＣデバイスのページングは、本実施形態では６４個まで同時に可能である。
【００２７】
図５は、本実施形態によるコアネットワーク２（又は移動通信ネットワークの制御装置）が実行する処理のフローチャートである。コアネットワーク２は、サーバ装置から通信要求メッセージを受信すると、Ｓ１０でグループ単位のページングが要求されているかデバイス単位のページングが要求されているかを判定する。デバイス単位のページングであると、コアネットワーク２は、Ｓ１４で、ページング対象のＭＴＣデバイスのデバイス識別子をデバイスＩＤフィールドに設定し、グループＩＤフィールドをヌルとし、第１設定値を値フィールドに設定したページングメッセージを送信する様に基地局に指示する。
【００２８】
一方、グループ単位のページングが要求されていると、コアネットワーク２は、Ｓ１１で、高優先ＭＴＣデバイスがページング対象のグループに存在するかを判定する。高優先ＭＴＣデバイスがページング対象のグループに存在しないと、コアネットワーク２は、Ｓ１３で、ページング対象のグループのグループ識別子をグループＩＤフィールドに設定し、デバイスＩＤフィールドをヌルとし、第１設定値を値フィールドに設定したページングメッセージを送信する様に基地局に指示する。また、高優先ＭＴＣデバイスがページング対象のグループに存在すると、コアネットワーク２は、Ｓ１２で、ページング対象のグループのグループ識別子をグループＩＤフィールドに設定し、デバイスＩＤフィールドに高優先ＭＴＣデバイスのデバイス識別子を設定し、第１設定値及び第２設定値を値フィールドに設定したページングメッセージを送信する様に基地局に指示する。
【００２９】
図６は、本実施形態によるＭＴＣデバイスが実行する処理のフローチャートである。ＭＴＣデバイスは、基地局からページングメッセージを受信すると、Ｓ２０でグループＩＤフィールドがヌルであるか否かを判定する。グループＩＤフィールドがヌルであると、ＭＴＣデバイスは、Ｓ２６で、デバイスＩＤフィールドに自装置のデバイス識別子が設定されているか否かを判定する。デバイスＩＤフィールドに自装置のデバイス識別子が設定されていないと、ＭＴＣデバイスは図６の処理を終了する。一方、デバイスＩＤフィールドに自装置のデバイス識別子が設定されていると、ＭＴＣデバイスは、バックオフ期間を決定するために、Ｓ２４で、０から第１設定値の範囲で乱数を生成する。
【００３０】
また、Ｓ２０でグループＩＤフィールドがヌルではないと、ＭＴＣデバイスは、Ｓ２１で、グループＩＤフィールドに設定されたグループ識別子が自装置のグループ識別子と一致するかを判定する。グループＩＤフィールドに設定されたグループ識別子が自装置のグループ識別子と一致しないと、ＭＴＣデバイスは図６の処理を終了する。一方、グループＩＤフィールドに設定されたグループ識別子が自装置のグループ識別子と一致すると、ＭＴＣデバイスは、Ｓ２２で、デバイスＩＤフィールドがヌルであるか否かを判定する。デバイスＩＤフィールドがヌルであると、ＭＴＣデバイスは、バックオフ期間を決定するために、Ｓ２４で、０から第１設定値の範囲で乱数を生成する。デバイスＩＤフィールドがヌルではないと、ＭＴＣデバイスは、Ｓ２３で、デバイスＩＤフィールドに自装置のデバイス識別子が設定されているかを判定する。デバイスＩＤフィールドに自装置のデバイス識別子が設定されていると、ＭＴＣデバイスは、Ｓ２４で、０から第１設定値の範囲で乱数を生成し、これをバックオフ期間とする。一方、デバイスＩＤフィールドに自装置のデバイス識別子が設定されていないと、ＭＴＣデバイスは、Ｓ２５で、第１設定値から第２設定値の範囲で乱数を生成し、これをバックオフ期間とする。
【００３１】
以上の構成により、グループ単位でページングを行うに当たり、高優先ＭＴＣデバイスが低優先ＭＴＣデバイスより先にＲＡ手順を開始できる様にすることができる。したがって、グループを指定するページングを行う移動通信ネットワークにおいて、通信タイミングに関するユーザ装置の個別の要求条件を満たすことができる。
【００３２】
＜その他の実施形態＞
上記実施形態では、高優先ＭＴＣデバイスを有するグループのページングを行うに当たり、高優先ＭＴＣデバイスのデバイス識別子をページングメッセージに含めていたが、低優先ＭＴＣデバイスのデバイス識別子をページングメッセージに含める構成であっても良い。また、高優先ＭＴＣデバイス及び低優先ＭＴＣデバイスのそれぞれが生成する乱数の範囲の通知方法は上述したのとは異なる方法であっても良い。
【００３３】
さらに、上記実施形態では、ＭＴＣデバイスの優先度を２つ（高優先及び低優先）としていた。しかしながら、３つ以上の優先度を設ける構成とすることもできる。この場合においても、移動通信ネットワークは、ページングメッセージにおいて、指定したグループのＭＴＣデバイスそれぞれについて優先度を指定する。また、各優先度に対応する数値の範囲を通知する。そして、ＭＴＣデバイスは、指定された優先度に対応する範囲内で乱数を生成し、生成した乱数に応じた期間をバックオフ期間とする。なお、本実施形態では、各優先度に対応する範囲に重複期間を設けない構成とした。具体的には、ある優先度に対応する範囲の最小値と、当該優先度より１つ優先度の高い範囲の最大値を同じとし、ある優先度に対応する範囲の最大値と、当該優先度より１つ優先度の低い範囲の最小値を同じとしていた。しかしながら、各優先度に対応する範囲に重複期間を設ける構成とすることもできる。この場合、ある優先度に対応する範囲の最小値は、当該優先度より高い優先度に対応する範囲の最小値より大きく、当該優先度より低い優先度に対応する範囲の最小値より小さく、当該優先度に対応する範囲の最大値は、当該優先度より高い優先度に対応する範囲の最大値より大きく、当該優先度より低い優先度に対応する範囲の最大値より小さくする。この場合においても、優先度が高い程、平均的にはバックオフ期間は短くなる。さらに、各優先度に対応する範囲に重複期間を設けず、かつ、各優先度に対応する範囲が連続しない構成とすることもできる。具体的には、ある優先度に対応する範囲の最小値を、当該優先度より１つ優先度の高い範囲の最大値より大きくし、ある優先度に対応する範囲の最大値と、当該優先度より１つ優先度の低い範囲の最小値より小さくする構成とすることもできる。
【００３４】
また、例えば、サーバ装置から１つのＭＴＣデバイスのみを指定した通信要求メッセージを受信した場合、バックオフを行う必要はない。このため、移動通信ネットワークは、ページングメッセージの値フィールドをヌルとすることで、バックオフを行うか否かを制御することができる。この場合、グループＩＤフィールドがヌルであり、デバイスＩＤフィールドに自装置のデバイス識別子が設定されたページングメッセージを受信したＭＴＣデバイスは、直ちにＲＡ手順を開始する。
【００３５】
また、上記実施形態では、図２に示す様に、サービス事業者とネットワーク事業者との事前協議によりＭＴＣデバイスの優先度についても予め決定し、ＭＴＣデバイスの優先度を示す情報についてもコアネットワークの制御装置に格納していた。しかしながら、ＭＴＣデバイスの優先度を予め特定するのではなく、サーバ装置がグループを指定した通信要求メッセージにおいて、グループ識別子に加えて、当該グループの各ＭＴＣデバイスの優先度をコアネットワーク２に通知する構成とすることもできる。また、上記実施形態では、デバイス識別子及びグループ識別子を予めＭＴＣデバイスに格納しているものとした。しかしながら、例えば、ＭＴＣデバイスがその配置位置に配置され、電源投入が行われたことにより、ＭＴＣデバイスが初めてコアネットワーク２に接続した際に、コアネットワーク２がＭＴＣデバイスにデバイス識別子及びグループ識別子を通知する構成であっても良い。
【００３６】
また、上記実施形態において、コアネットワーク２は、基地局にページングを指示する度に第１設定値、或いは、第１設定値及び第２設定値を基地局に通知していた。しかしながら、第１設定値及び第２設定値を基地局に設定しておき、コアネットワーク２からの第１設定値や第２設定値の通知を不要とする構成とすることもできる。さらに、第１設定値及び第２設定値を予めＭＴＣデバイスに格納しておく構成とすることもできる。さらに、サーバ装置が通信要求メッセージにおいて、第１設定値及び第２設定値をコアネットワーク２に通知する構成とすることもできる。さらに、本実施形態では、ユーザ装置がＭＴＣデバイスであるものとしたが、配置位置を固定して使用するユーザ装置に対するグループページングに本発明を適用することができ、ユーザ装置はＭＴＣデバイスに限定されない。
【００３７】
＜ＭＴＣデバイス構成＞
図７は、ＭＴＣデバイスの構成図である。保持部６２は、自装置のデバイス識別子（装置識別子）及び自装置が属するグループのグループ識別子を保持する。通信部６１は、移動通信ネットワークから、保持部６２が保持するグループ識別子を含むページングメッセージを受信すると、当該ページングメッセージにおいて指定された自装置の優先度に応じたバックオフ期間（待機期間）を決定し、決定したバックオフ期間が経過するとＲＡ手順を開始する。ここで、通信部６１は、自装置の優先度が高い程、バックオフ期間を短くする。具体的には、通信部６１は、自装置の優先度に対応する範囲内の乱数を生成し、生成した乱数に基づきバックオフ期間を決定する。ここで、優先度に対応する範囲の最小値は、当該優先度より高い優先度に対応する範囲の最小値より大きく、当該優先度より低い優先度に対応する範囲の最小値より小さく、当該優先度に対応する範囲の最大値は、当該優先度より高い優先度に対応する範囲の最大値より大きく、当該優先度より低い優先度に対応する範囲の最大値より小さい。
【００３８】
なお、優先度に対応する範囲については、ページングメッセージにおいて指定する構成とすることも、予めＭＴＣデバイスの保持部６２に格納しておく構成とすることもできる。
【００３９】
＜移動通信ネットワークの構成＞
図８は、移動通信ネットワークの構成図である。移動通信ネットワークの保持部７２は、例えば、図２に示す情報を保持する。通信部７１は、同じセル内の複数のＭＴＣデバイスのグループを指定するページングメッセージを送信可能な様に構成される。そして、通信部７１は、グループを指定するページングメッセージにおいて、当該グループに属するＭＴＣデバイスの優先度を指定する。また、通信部７１は、ページングメッセージで優先度に対応するバックオフ期間の範囲を指定することができる。
【００４０】
また、本発明の移動通信ネットワークの制御装置は、図２に示す情報を保持し、同じセル内の複数のＭＴＣデバイスのグループを指定するページングメッセージを当該セルの基地局装置に指示する。なお、制御装置は、グループを指定するページングメッセージにおいて、当該グループに属するＭＴＣデバイスの優先度を指定する。また、制御装置は、ページングメッセージで優先度に対応するバックオフ期間の範囲を指定することができる。
【００４１】
また、本発明の基地局装置は、複数のＭＴＣデバイスのグループを指定するページングメッセージを送信可能であり、グループを指定するページングメッセージにおいて、当該グループに属するユーザ装置の優先度を指定することができる。
【符号の説明】
【００４２】
６２：保持部、６１：通信部
【図１】
2020039027.tif 000003
【図２】
2020039027.tif 000004
【図３】
2020039027.tif 000005
【図４】
2020039027.tif 000006
【図５】
2020039027.tif 000007
【図６】
2020039027.tif 000008
【図７】
2020039027.tif 000009
【図８】
2020039027.tif 000010